(57)【特許請求の範囲】
【請求項１】
クリーンルーム全体が断熱材を電気伝導体で挟んだ構造のパネルとドアから成る、／及び窓は電気伝導体のシールド又は電磁波防御カバーを設けた、パネル組立て電磁波シールド防音断熱室に、エアーコンデショナーとフィルター付き吸気扇及び吸排気口、電磁波防御カバー付き照明装置を設けて成り、室内の電磁波発生部分及び外部からの電磁波侵入部分に電磁波防御カバーを設け、電磁波防御カバー及び部屋全体にアースを設けて成るパネル組立て式クリーンルーム。
【発明の詳細な説明】
【０００１】
【発明の属する技術分野】
この発明は、組立式、電磁波シールド、防音、断熱、クリーンルームに関する発明である。
【０００２】
【従来の技術】
従来のクリーンルームは設備が大がかりでたいへん高価なものであった。また、家庭で簡単に利用できるクリーンルームは見当らない。
【０００３】
【発明が解決しようとする課題】
この発明は、家庭でも簡単に設置出来る低コストの組立式、電磁波シールド、防音、断熱、クリーンルームを提供することにある。また、各種のアレルギー、花粉症対策など身体の外的要因が原因で起こるアレルギー及び障害を取り除き、身体に最適な環境で精神を集中できる部屋を提供する事を目的とし、室内で発生する各種ガスの充満を防ぎ、防音と断熱効果の高い快適なクリーンルームを提供する。
【０００４】
【課題を解決するための手段】
上記課題を解決するために、この発明では、パネル組立式、電磁波シールド、断熱、防音クリーンルームで、パネル及びドアが、断熱材を電気伝導体で挟む事で、断熱、防音、電磁波シールド効果がある。これに、エアーコンデショナー（３）とフィルター付き吸気扇（４）排気口（６）と照明（５）を設け、部屋全体及び室内の電磁波発生部分は、電気伝導体メッシュ及び電気伝導体のシート、シールド等の電磁波防御カバー（７）でおおい、部屋全体を電気伝導体とし、これにアース（８）を設けるという技術的手段を講じている。
【０００５】
【発明の実施の形態】
以下に本発明の実施の形態を図面を参照して説明する。図１、２はパネル組立式、電磁波シールド、断熱、防音クリーンルームの一例で、部屋６面パネル及びドアが、断熱材を電気伝導体で挟んだ断熱、防音、電磁波シールド効果があるパネルで構成され、パネルはユニット式で、広さ形の自由度が大きく、エアーコンディショナー（３）により小エネルギーで一定温度を保て、また、防音効果にもすぐれている。これにフィルター付き吸気扇（４）及び排気口（６）を設ける事で、室内温度の調節と、外気中のチリや花粉さらにカビの胞子を取り除き、クリーンな室内にする事が出来る。さらに、吸排気口は、部屋の上下に設置することで、ヒルター付き吸気扇（４）を停止した状態においても、室内で発生するガスが、空気より軽くても重くても自然に抜ける構造が特徴である。小エネルギーで人が活動出来る安全なクリーンルームを提供するものでる。
【０００６】
断熱パネル（１）及び断熱ドア（２）は電気伝導体で、室内の電磁波発生部分と照明（５）には、電磁波防御カバー（７）設ける、これは、電気伝導体のメッシュで、光を通すステンレスメッシュ等又は透明の電気伝導体シールド等を用いる。さらに、窓（９）を設けた場合は、窓部分に電気伝導体のシールド又は電気伝導体メッシュ等で電磁波防御カバーを設け、部屋全体にアースを設ける事により電磁波の影響を軽減するものである。
【０００７】
【実施例】
本発明を使用する場合は、断熱パネル（１）及び断熱ドア（２）で構成されたユニットシステムを台（１０）の上に設置場所に合った広さと形に組み、これにエアーコンディショナー（３）を設ける。これは、機種及び部屋の設置場所に合わせどの部分にどのように取付けても良い。
【０００８】
部屋使用時は、ヒルター付き吸気扇（４）を回し新鮮でクリーンな空気を室内に取り入れ排気口（６）より排気する。さらに、室内への出入りの際もヒルター付き吸気扇を回す事で、ドアよりクリーンな空気が排出され、室内を汚さない。なお、ヒルター付き吸気扇（４）のヒルター部分に活性炭等の脱臭剤を設ける事で、外気の臭気も防ぐことも出来る。また、吸排気口は、部屋の上下に設置することで、吸気扇（４）を停止した状態においても、室内で発生するガスが、空気より軽くても重くても自然に抜ける構造が特徴である。
【０００９】
室内の電磁波発生部分、照明（５）等及び窓（９）を設ける場合は、窓（９）部分も外部からの電磁波防御のために電磁波防御カバー、透明シールド又は／及び電気伝導体メッシュ等を設け、部屋全体を電気伝導体で覆う構造とし、部屋全体の断熱パネル及び断熱ドアにアース（８）を設ける事により外部からの電磁波による影響を軽減するものである。また、床部分の断熱パネル（１）も電気伝導体で防音、断熱、電磁波シールドの床であり、ダニなどの繁殖の心配もない。変化例として、ヒルター付き吸気扇（４）及び排気口（６）は部屋の空気を入れ替えるのが目的であるから、吸排気がうまく行く所であればどこに設けてもさしつかえない。また、エアーコンディショナーにメッシュの電磁波防御カバーを設ける事で、電磁波の遮断と室内の空気がメッシュを通る時に静電気が撤去される。さらに、電気伝導体を透明なものにして、断熱材を真空やガス充填で対処する等、その他、この発明の要旨を変更しない範囲での数々設計変更しうること勿論である。
【００１０】
【発明の効果】
この発明のパネル組立て式クリーンルームは、クリーンルーム以外のスペース、循環ダクトや外部ヒルター等のスペースを必要としないのが特徴である、さらに、本発明のクリーンルームは保温性が高いため、照明の熱や身体が発する熱及び湿気がこもりやすく、エアーコンディショナーが不可欠であるが、クリーンルーム上下に吸排気口と吸気扇を設けたことで、自然吸排気、吸気扇による強制外気導入により温度、湿度がこもらない、また、外気が低温の場合では吸排気口を小さくする事で、身体と照明が発する熱で室内は暖かく、エアーコンディショナー、吸気扇、自然吸排気を組合せる事で、小エネルギーで静かな室内の環境を保てる特徴を持つ。さらに、就寝時の使用を考慮してエアーコンディショナー及び吸気扇を停止した状態でも吸排気口より自然対流にて外気導入がなされ、ガス充満事故を防ぐという技術的手段も講じている。また、エアーコンディショナー、吸排気口にメッシュの電磁波防御カバーを設ける事で、空気がメッシュを通過する際に静電気が除去され、空気が柔らかい円やかさを感じさせ、エアーコンディショナーからの冷気が柔らかいく感じられる、ちょうど湯もみをした湯に入る感じ、硬水が軟水に変わった状態の空気に成る。内容については、実願平１１−８４６３号イオン中和装置を参照。以上、家庭でも気軽に設置でき、身体に有害な花粉及びカビ類の胞子、チリを取り除き、適温でクリーンな、強い電磁波や騒音など身体に有害な要因を取り除いた環境を作る事により、これらの外的要因で苦しむ人々に一時の安らぎを提供するものである。
【図面の簡単な説明】
【図１】  組立断熱パネルの分解斜視図の一例である。
【図２】  クリーンルームの断面図の一例である。
【符号の説明】
１    断熱パネル
２    断熱ドア
３    エアーコンディショナー
４    ヒルター付き吸気扇
５    照明
６    排気口
７    電磁波防御カバー
８    アース
９    窓
１０  台
【図１】
0003980763.tif 000002
【図２】
0003980763.tif 000003